(57)【要約】  【課題】  温水の分岐路が複数ある温水暖房装置において、室内まで行ってリモコンを操作しなくても、熱源側にて各分岐路の開閉弁を開放させ全系統の水張りを行うこと。  【解決手段】  ヒートポンプユニット１及び温水ユニット３とから成る温水生成装置と循環ポンプ９と熱動弁１８Ａ〜１８Ｃ及び床暖房パネル５Ａ〜５Ｃを有する複数の分岐路１９Ａ〜１９Ｃとを接続してなる温水循環路Ｃと、該温水循環路Ｃに設けられた水張り装置Ｗと、各床暖房パネル５Ａ〜５Ｃに対応して設けられた複数の床暖リモコン２１Ａ〜２１Ｃと、マイクロコンピュータＭが設けられた制御基板Ｋとを備え、床暖リモコン２１Ａ〜２１Ｃから制御基板Ｋへの運転信号に応じて対応する熱動弁１８Ａ〜１８Ｃを開放させるようにした温水暖房装置において、制御基板Ｋには水張り時に熱動弁１８Ａ〜１８Ｃを強制的に開閉させる熱動弁スイッチ２６を設ける。  【選択図】  図１
2005098643.tif 000002
【特許請求の範囲】
【請求項１】
加熱源により温水を生成する温水生成装置と循環ポンプと複数の開閉弁及び複数の床暖房パネル等の利用側熱交換器を有する複数の分岐路とを接続してなる温水循環路と、この温水循環路に設けられた水張り装置と、各利用側熱交換器に対応して設けられた複数の利用側リモートコントローラと、熱源側制御装置とを備え、利用側リモートコントローラから前記熱源側制御装置への運転信号に応じて対応する前記開閉弁を開放させるようにした温水暖房装置において、前記熱源側制御装置には水張り時に各分岐路の前記開閉弁を強制的に開閉させる開閉指示手段が設けられていることを特徴とする温水暖房装置。
【請求項２】
前記開閉指示手段は１個のタクトスイッチからなり、前記熱源側制御装置はこのタクトスイッチが操作されるごとに複数の開閉弁を順次開放させることを特徴とする請求項１に記載の温水暖房装置。
【請求項３】
前記熱源側制御装置は水張り時に利用側リモートコントローラからの運転信号を前記開閉指示手段からの開閉信号に優先させて前記開閉弁を開閉することを特徴とする請求項１又は２に記載の温水暖房装置。
【請求項４】
前記熱源側制御装置は前記開閉指示手段とは別に水張り指示手段を有し、この水張り指示手段からの水張り信号があるときに開閉指示手段の操作を有効にすることを特徴とする請求項１乃至３のいずれかに記載の温水暖房装置。
【請求項５】
前記熱源側制御装置は前記開閉指示手段による前記開閉弁の開放を所定時間以内に制限することを特徴とする請求項１乃至４のいずれかに記載の温水暖房装置。
【発明の詳細な説明】
【技術分野】
【０００１】
本発明は、ヒートポンプ式給湯暖房装置、ヒートポンプ式温水暖房装置、ガス温水暖房装置及び石油温水暖房装置等の温水暖房装置に関する。詳しくは、加熱源により温水を生成する温水生成装置と循環ポンプと複数の開閉弁及び複数の床暖房パネル等の利用側熱交換器を有する複数の分岐路とを接続してなる温水循環路と、この温水循環路に設けられた水張り装置と、各利用側熱交換器に対応して設けられた複数の利用側リモートコントローラと、熱源側制御装置とを備え、利用側リモートコントローラから前記熱源側制御装置への運転信号に応じて対応する前記開閉弁を開放させるようにした温水暖房装置に関する。
【背景技術】
【０００２】
従来のこの種の温水暖房装置は、各利用側熱交換器に対応して設けられた複数の利用側リモートコントローラ（以下、「リモコン」という。）と、熱源側制御装置とを備え、利用側リモコンから熱源側制御装置への運転信号に応じて対応する開閉弁を開放させるようにしている（特許文献１参照）。
【特許文献１】特開平７−２９３９０５号公報
【発明の開示】
【発明が解決しようとする課題】
【０００３】
このような温水暖房装置では、施工時において水張り装置を用いて暖房循環水を充填(水張り)しなければならないが、各分岐路には熱動弁等の開閉弁があるため、この開閉弁を順次開放させることにより温水循環路全体に循環水を充填できるようにしている。
【０００４】
一般的には、給水弁を有する給水管が接続され、かつ、水位センサーを有する膨張タンクが温水循環路に設けられ、これらによって水張り装置が構成されている。また、熱源側制御装置には水張りスイッチが設けられている。水張りスイッチをオンにすると、水位センサーからの信号で膨張タンクの水の有無を検知し、循環ポンプ及び給水弁を制御しながら循環水を自動的に補給するようにしている。
【０００５】
例えば、水位センサーによって膨張タンクに水のないことを検知すると、給水弁を開放させ、先ず膨張タンク内に循環水を補給する。その後、水位センサーにより膨張タンク内に水が充填されたことが検知されると、給水弁を閉じ、循環ポンプを運転することで温水循環路に水を送り込む。これにより膨張タンクの水がなくなると、循環ポンプを停止させ、給水弁を開放して膨張タンクに再度水を補給する。これを繰り返すことで温水循環路に循環水を補給することができる。
【０００６】
温水暖房装置によっては給水管や給水弁がないものがあり、自動的に給水しないものもあるが、この場合は膨張タンク近傍に備え付けられた給水口より、膨張タンクの水位を確認しながら施工者やユーザーが注水することで水を充填する。
【０００７】
ここでさらに、各分岐路の室内に備え付けられた床暖房パネル等の利用側熱交換器に循環水を充填するには、各分岐路の開閉弁を開閉させないとその経路に水を送り込むことができない。
【０００８】
そこで、これまではその経路の開閉弁を開けるために、室内に備え付けられたその系統のリモコンの運転スイッチをわざわざオンにする必要があった。このように、リモコンの運転スイッチをオンすることで対応する系統（分岐路）の配管に循環水を充填することができる。
【０００９】
しかしながら、この方法で全暖房系統に水張りを行うと、例えば３系統ある温水暖房装置ではリモコンのある室内と熱源のある室外を最低でも３回は行き来しなけばならず、施工上煩わしいものであった。
【００１０】
そこで本発明は、温水の分岐路が複数ある温水暖房装置において、わざわざ室内まで行ってリモコンを操作しなくても、熱源側にて各分岐路の開閉弁を開放させ、全系統の水張りが行えるようにすることを目的とする。
【課題を解決するための手段】
【００１１】
このため第１の発明では、加熱源により温水を生成する温水生成装置と循環ポンプと複数の開閉弁及び複数の床暖房パネル等の利用側熱交換器を有する複数の分岐路とを接続してなる温水循環路と、この温水循環路に設けられた水張り装置と、各利用側熱交換器に対応して設けられた複数の利用側リモートコントローラと、熱源側制御装置とを備え、利用側リモートコントローラから前記熱源側制御装置への運転信号に応じて対応する前記開閉弁を開放させるようにした温水暖房装置において、前記熱源側制御装置には水張り時に各分岐路の前記開閉弁を強制的に開閉させる開閉指示手段が設けられていることを特徴とする。
【００１２】
また第２の発明では、第１の発明において、前記開閉指示手段は１個のタクトスイッチからなり、前記熱源側制御装置はこのタクトスイッチが操作されるごとに複数の開閉弁を順次開放させることを特徴とする。
【００１３】
また第３の発明では、第１又は第２の発明において、前記熱源側制御装置は水張り時に利用側リモートコントローラからの運転信号を前記開閉指示手段からの開閉信号に優先させて前記開閉弁を開閉することを特徴とする。
【００１４】
また、第４の発明では、第１乃至第３の発明において、前記熱源側制御装置は前記開閉指示手段とは別に水張り指示手段を有し、この水張り指示手段からの水張り信号があるときに開閉指示手段の操作を有効にすることを特徴とする。
【００１５】
また、第５の発明では、第１乃至第４の発明において、前記熱源側制御装置は前記開閉指示手段による前記開閉弁の開放を所定時間以内に制限することを特徴とする。
【発明の効果】
【００１６】
第１の発明によれば、施工者またはユーザーが暖房循環水の水張り時にわざわざ室内に行ってリモコンを操作しなくても、熱源側の開閉指示手段によって各分岐路の開閉弁を開閉させ、温水循環路全体に水張りを行うことができ、施工時の手間を大幅に省くことができる。
【００１７】
また、水張りを行う前に、空気などを温水循環路内に送り込み,気密試験を行うこともあるが、その場合でもわざわざ室内に行かなくても点検が可能である。
【００１８】
第２の発明によれば、例えば、分岐路が３個である３系統の温水暖房装置の場合、１つのタクトスイッチの操作で３つの開閉弁を順次開閉させることができ、部品コスト的にも有利である。
【００１９】
第３の発明によれば、施工者やユーザーが室内側で水漏れチェックを行いたい場合、室内側のリモコンで開閉弁を開放させることもでき、施工者やユーザーの意思が尊重され、使い勝手が良い。
【００２０】
第４の発明によれば、通常運転中に開閉指示手段の誤操作によってユーザーの意図しない開閉弁が開放される心配がない。
【００２１】
第５の発明によれば、開閉指示手段の操作忘れによって開閉弁が開放したままとなる心配もない。
【発明を実施するための最良の形態】
【００２２】
以下、本発明を実施するための最良の形態について、図面を参照して説明する。図１はヒートポンプ式温水暖房装置の全体システムを示す系統図である。図1において、１は加熱源としてのヒートポンプユニットで、ＣＯ２冷媒を高温、高圧に圧縮するコンプレッサ、冷媒側コイル２Ａと温水側コイル２Ｂとを備え冷媒と水とを熱交換させる加熱用の冷媒対水熱交換器（熱源側熱交換器）２、電動式の膨張弁、外気と冷媒との熱交換を行う室外側熱交換器としての蒸発器、アキュムレータ等を有している。即ち、熱源機としてＣＯ２冷媒を利用したヒートポンプユニットを用いるから、高温の温水が生成できる。
【００２３】
３はヒートポンプユニット１とともに室外に設置される熱源側の温水ユニットで、この温水ユニット３はヒートポンプユニット１と単一のケーシング内に収容することも可能であり、また給湯機能を有する装置では貯湯タンクユニット（図示せず）と同じケーシング内に収容することも可能である。そして、この温水ユニット３は、前記冷媒対水熱交換器２により熱交換されて得られた温水を高温暖房機器である例えば浴室暖房機４に供給するとともに、低温暖房機器である床暖房パネル５Ａ〜５Ｃ（利用側熱交換器）に供給する。この温水ユニット３は、給水弁６Ａを有する給水管６を介して給水されると共に暖房用温水を貯留する膨張タンク７や、温水側コイル２Ｂの暖房循環水をこの温水側コイル２Ｂに接続された温水往き管８を介して前記浴室暖房機４や床暖房パネル５Ａ〜５Ｃに強制的に循環させるための循環ポンプ９などを備えている。
【００２４】
そして、温水ユニット３と浴室暖房機４とは浴室暖房機４側の温水往き配管４Ａと温水戻り配管４Ｂとを配管接続部１０Ａ、１０Ｂを介して接続され、温水ユニット３と床暖房パネル５Ａ〜５Ｃとは往き側ヘッダー１１及び戻り側ヘッダー１２を介して接続されている。
【００２５】
温水往き管８には配管１３が分岐接続され、この配管１３は膨張タンク７に接続されている。また、戻り側ヘッダー１２が配管１４を介して前記配管１３に接続され、前記配管接続部１０Ｂは配管１５を介して配管１４に接続されている。また、循環ポンプ９は膨張タンク７に接続された配管１６に設けられ、この配管１６は配管１７Ａと配管１７Ｂを介してそれぞれ往き側ヘッダー１１と温水側コイル２Ｂとに接続されている。
【００２６】
前記往き側ヘッダー１１にはその分岐口に３つの熱動弁（開閉弁）１８Ａ〜１８Ｃが設けられ、前記床暖房パネル５Ａ〜５Ｃが設けられた３つの分岐路１９Ａ〜１９Ｃの温水供給を開閉制御している。
【００２７】
２０は浴室の外の脱衣室等に設置される浴室暖房リモートコントローラ（以下、「浴室暖房リモコン」という）であり、２１Ａ〜２１Ｃは居間などに設置される床暖房リモートコントローラ（以下、「床暖リモコン（利用側リモコン）」という）である。前記膨張タンク７には水位センサー２２が設けれている。前記浴室暖房リモコン２０には運転スイッチ２３が設けられ、床暖リモコン２１Ａ〜２１Ｃにも運転スイッチ２４Ａ〜２４Ｃが設けられている。
【００２８】
前記温水ユニット３内には水張りスイッチ２５と熱動弁スイッチ２６が設けられる制御基板Ｋ（熱源側制御装置）が設けられ、図２に示すように、この制御基板Ｋに搭載されて温水暖房に係る種々の制御を行うマイクロコンピュータＭにはＣＰＵ、ＲＡＭ、ＲＯＭが内蔵されるとともに、上述した膨張タンク７の水位センサー２２、浴室暖房リモコン２０の運転スイッチ２３、水張りスイッチ２５（水張り指示手段）、タクトスイッチで構成される熱動弁スイッチ（開閉指示手段）２６、各床暖リモコン２１Ａ〜２１Ｃの運転スイッチ２４Ａ〜２４Ｃなどからの信号がマイクロコンピュータＭに入力されるとともに、ヒートポンプユニット１、給水弁６Ａ、循環ポンプ９、往き側ヘッダー１１の分岐口に設けた熱動弁１８Ａから１８ＣなどにマイクロコンピュータＭから制御信号が出力される。
【００２９】
なお、上述した温水側コイル２Ｂ、浴室暖房機４、循環ポンプ９、膨張タンク７及び床暖房パネル５Ａ〜５Ｃが温水往き管８や配管、分岐路などにより接続されて温水循環路Ｃが構成されている。また、給水弁６Ａを有する給水管６と水位センサー２２とで水張り装置Ｗが構成されている。
【００３０】
以上の構成により、高温暖房機器である浴室暖房機４の運転動作について説明する。浴室暖房リモコン２０の運転スイッチ２３をオン操作すると、浴室暖房機４に内蔵されている開閉弁（図示せず）が開くとともに、運転スイッチ２３の運転信号がマイクロコンピュータＭに入力され、このマイクロコンピュータＭは循環ポンプ９を運転させるとともに、ヒートポンプユニット１に暖房運転信号を指示して暖房運転させる。
【００３１】
そして、ヒートポンプユニット１が運転すると、ヒートポンプユニット１内のコンプレッサが運転して高温、高圧のＣＯ２冷媒が冷媒対水熱交換器２の冷媒側コイル２Ａに供給され、温水側コイル２Ｂを流れる暖房循環水を８０℃程度に加熱する。
【００３２】
この浴室暖房機４の運転における暖房循環水は、循環ポンプ９の運転により、膨張タンク７→循環ポンプ９→配管１７Ｂ→冷媒対水熱交換器２の温水側コイル２Ｂ→配管接続部１０Ａ→浴室暖房機４→配管接続部１０Ｂ→膨張タンク７という循環経路で循環し、浴室暖房機４は浴室内に温風を供給して浴室の暖房が行われる。
【００３３】
次に、低温暖房機器である床暖房パネル５の暖房運転について説明する。暖房したい部屋に設置している床暖房リモコン２１Ａ〜２１Ｃの運転スイッチ２４Ａ〜２４Ｃを操作すると、その運転信号が温水ユニット３内の制御基板ＫのマイクロコンピュータＭに入力され、運転スイッチ２４Ａ〜２４Ｃに対応する熱動弁１８Ａ〜１８Ｃが開くとともに、循環ポンプ９を運転して暖房循環水を床暖房パネル５Ａ〜５Ｃに循環させる。また、ヒートポンプユニット１に暖房運転信号を指示して暖房運転させる。
【００３４】
このヒートポンプユニット１が暖房運転することで、コンプレッサが運転して高温、高圧のＣＯ２冷媒が冷媒対水熱交換器２の冷媒側コイル２Ａに供給され、温水側コイル２Ｂを流れる暖房循環水を８０℃程度に加熱する。
【００３５】
この床暖房パネル５の運転における暖房循環水は、循環ポンプ９の運転により、膨張タンク７→循環ポンプ９→配管１７Ｂ→冷媒対水熱交換器２の温水側コイル２Ｂ→温水往き管８→配管１３→膨張タンク７という循環経路で循環するとともに、膨張タンク７→循環ポンプ９→配管１７Ａ→分岐路１９Ａ〜１９Ｃ→配管１４→膨張タンク７という循環経路でも循環する。このため、冷媒対水熱交換器２からの高温水と配管１４からの低温水が膨張タンク７で適度に混合され、床暖房に適した６０℃程度の中温水となって床暖房パネル５Ａ〜５Ｃに循環供給される。
【００３６】
次に、設置時の水張り運転について説明する。先ず、室外に設置される熱源側の温水ユニット３に設けられた制御基板Ｋにある水張りスイッチ２５をオンにすると、マイクロコンピュータＭは水位センサー２２からの信号で膨張タンク７の水の有無を検知し、循環ポンプ９及び給水弁６Ａを制御しながら循環水を自動的に補給する。
【００３７】
例えば、水位センサー２２によって膨張タンク７に水のないことを検知すると、マイクロコンピュータＭは給水弁６Ａを開放させ、先ず膨張タンク７内に循環水を補給する。その後、水位センサー２２により膨張タンク７内に水が充填されたことを検知すると、マイクロコンピュータＭは給水弁６Ａを閉じ、循環ポンプ９を運転することで温水循環路Ｃに水を送り込む。これにより膨張タンク７の水がなくなると、循環ポンプ９を停止させ、給水弁６Ａを開放して膨張タンク７に再度水を補給する。これを繰り返すことで温水循環路Ｃに循環水を補給することができる。浴室暖房機４側の浴室暖房機４側の温水往き配管４Ａと温水戻り配管４Ｂに水を張るには浴室暖房リモコン２０の運転スイッチ２３をオンにし、内蔵する開閉弁を開放させればよい。
【００３８】
次に、床暖房パネル５Ａ〜５Ｃが設けられた分岐路１９Ａ〜１９Ｃに循環水を充填する場合の動作を図３のフローチャートを参照して説明する。
【００３９】
水張りスイッチ２５のオン操作中であって、一定時間が経過する前で、且ついずれの床暖リモコン２１Ａ〜２１Ｃの運転スイッチ２４Ａ〜２４Ｃがオンでないときに、熱動弁スイッチ２６を１回オン操作すると、マイクロコンピュータＭに１個のパルス信号が入る。即ち、熱動弁スイッチ２６は所謂タクトスイッチであり、常時はオフ状態にあり、操作中にオンになり、操作を止めると自動的にオフ状態に戻るものである。
【００４０】
この１回目の操作があると、マイクロコンピュータＭは、先ず、図４に示すように、熱動弁１８Ａ（図４中において、便宜上「熱動弁１」と表示）のみをオンさせて開放させる。このため、床暖房パネル５Ａのある分岐路１９Ａに水張りが行なわれる。同様に、熱動弁スイッチ２６の２回目、３回目の操作を行なうと、熱動弁１８Ｂ（図４中において、「熱動弁２」と表示）のみと、熱動弁１８Ｃ（図４中において、「熱動弁３」と表示）のみが順次開放され、床暖房パネル５Ｂのある分岐路１９Ｂと、床暖房パネル５Ｃのある分岐路１９Ｃが順次水張りされる。そして、熱動弁スイッチ２６の４回目のオン操作を行うと、熱動弁１８Ａ〜１８Ｃはすべて閉じ、マイクロコンピュータＭはスイッチのオン操作回数を０回にリセットする。即ち、マイクロコンピュータＭはカウンタを備えており、計数値に応じて熱動弁１８Ａ〜１８Ｃを制御する。
【００４１】
このように分岐路が３つある３系統の場合でも、施工者またはユーザーが暖房循環水の水張り時にわざわざ室内に行って床暖リモコン２１Ａ〜２１Ｃを操作しなくても、熱源側の熱動弁スイッチ２６によって各分岐路の熱動弁を択一的に開閉させ、温水循環路全体に水張りを行うことができ、施工時の手間を大幅に省くことができる。
【００４２】
また、水張りを行う前に、空気などを温水循環路内に送り込み、気密試験を行うこともあるが、その場合でもわざわざ室内に行かなくても点検が可能である。しかも、１つのタクトスイッチの操作で３つの熱動弁１８Ａ〜１８Ｃを順次開閉させることができ、部品コスト的にも有利である。
【００４３】
上述した熱動弁スイッチ２６による水張り運転中に床暖リモコン２１Ａ〜２１Ｃのいずれかの運転スイッチ２４Ａ〜２４Ｃを運転すると、熱動弁スイッチ２６によって開放されている熱動弁は強制的に閉じられ、運転スイッチ２４Ａ〜２４Ｃに対応する熱動弁が開放され、熱動弁スイッチ２６のオン操作回数も０回にリセットされる。このため、施工者やユーザーが室内側で水漏れチェックを行いたい場合、室内側の床暖リモコン２１Ａ〜２１Ｃで対応する熱動弁１８Ａ〜１８Ｃを開放させることもでき、施工者やユーザーの意思が尊重され、使い勝手が良い。もちろん、水張り運転中には、ヒートポンプユニット１が暖房運転することはない。
【００４４】
また、水張りスイッチ２５をオンにし、水張り信号があるときに熱動弁スイッチの操作を有効にしているので、通常暖房運転中に、誤って熱動弁スイッチ２６をオン操作しても、意図しない熱動弁が開く心配はない。また、水張りを行う前に、空気などを温水循環路内に送り込んで気密試験を行う場合に、水張りスイッチ２５をオンさせずにいきなり熱動弁を作動させるようにすると、吸水弁６Ａ及び循環ポンプ９を動作させずに空気のみ送りたい場合に水が供給されてしまう事態が発生するが、これも防止できる。
【００４５】
さらにまた、熱動弁スイッ２６により開放された熱動弁は水張りスイッチ２５をオフにするか、もしくは水張りスイッチがオンされてから一定時間経過した場合、全ての熱動弁が閉じられるので、熱動弁スイッチ２６の消し忘れの心配もない。
【００４６】
上述した水張りスイッチ２５による水張り運転は、ある一定時間経過すると自動的に停止されるが、この一定時間の開始時期は水張りスイッチ２５が押されたときを基準にするのではなく、水位センサー２２によって確実に膨張タンク７に水が満たされたのを検知してからとすると良い。
【００４７】
それは、温水ユニット３と床暖房パネルとの間で所謂鳥居配管が行なわれた場合（例えば、温水ユニット３からの配管が一旦屋根裏を通って浴室暖房機４や床暖房パネル５Ａ〜５Ｃに接続された場合）、配管内の空気が十分に抜けない問題があり、この問題を解決するために、少なくとも水位センサー２２により温水ユニット３の膨張タンク７の満水が確認された時点からとし、なるべく多くの時間、水を循環させることで空気を配管の外へ追い出すことができるからである。
【００４８】
なお、本実施形態のヒートポンプユニット１は、ＣＯ２冷媒を用いた冷凍サイクルであるが、これに限らず、ＨＦＣ冷媒を用いてもよく、更にはヒートポンプユニット及び温水ユニットを用いた温水生成装置に限らず、ガスや石油や電力を用いた加熱源により温水を生成する温水生成装置を用いてもよい。従って、本発明はヒートポンプ式給湯暖房装置、ヒートポンプ式温水暖房装置、ガス温水暖房装置及び石油温水暖房装置等に適用できる。
【００４９】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００５０】
【図１】ヒートポンプ式温水暖房装置の全体系統図である。
【図２】ヒートポンプ式温水暖房装置の制御ブロック図である。
【図３】ヒートポンプ温水暖房装置の動作説明用のフローチャートである。
【図４】熱動弁スイッチによる熱動弁の開閉操作を説明するための説明図である。
【符号の説明】
【００５１】
１              ヒートポンプユニット
２              冷媒対水熱交換器（熱源側熱交換器）
５Ａ〜５Ｃ      床暖房パネル（利用側熱交換器）
９              循環ポンプ
１８Ａ〜１８Ｃ  熱動弁（開閉弁）
１９Ａ〜１９Ｃ  分岐路
２１Ａ〜２１Ｃ  床暖リモコン（利用側リモコン）
２５            水張りスイッチ（水張り指示手段）
２６            熱動弁スイッチ（開閉指示手段）
Ｃ              温水循環路
Ｋ              制御基板（熱源側制御装置）
Ｍ              マイクロコンピュータ
Ｗ              水張り装置
【図１】
2005098643.tif 000003
【図２】
2005098643.tif 000004
【図３】
2005098643.tif 000005
【図４】
2005098643.tif 000006